(57)【要約】  ディスク・ドライブ・ユニット用のローダ機構は、ディスク・ドライブ、ディスクを支持するトレイ、並びに、前記トレイ上のディスクに対する前記ディスク・ドライブの係合及び係合解除を為すべく前記トレイに対して前記ディスク・ドライブを行き来させるように移動させる調整機構を備える。前記調整機構は、湾曲部とそれら湾曲部と係合するピンとを含む。それら湾曲部及びピンは、ディスク・ドライブ上及び制御部上にそれぞれ設けられている。前記調整機構が少なくとも２つの協働する湾曲部及びカウンター部材から成る組を含んで、前記湾曲部が、少なくとも１つの端部で開口し、そして、前記ディスク・ドライブの前記トレイに対する移動方向でオフセットされているピンと協働するように為し、１つのピンが前記相対的移動の一部中にその協働する湾曲部と作動的に係合し、そして、次のピンが前記相対的移動の別の一部中にその協働する湾曲部と作動的に係合するように為されている。これは、湾曲部の高さの低減を可能とし、そしてそれ故に、調整機構の高さの低減を可能としている。【選択図】図５
2007536694.tif 000002
【特許請求の範囲】
【請求項１】
ディスク・ドライブ・ユニット用のローダ機構であって、ディスク・ドライブ(１乃至３)、ディスクを支持するトレイ(４)、並びに、前記トレイ上のディスクに対する前記ディスク・ドライブの係合及び係合解除を為すべく、前記トレイに対して前記ディスク・ドライブを行き来させるように移動させる調整機構(８)を備え、前記調整機構が湾曲部（１２，１３）とそれら湾曲部と係合するカウンター部材（１７，１８）とを含み、それら湾曲部及びカウンター部材がディスク・ドライブ上及び制御部（９）上にそれぞれ設けられ、前記湾曲部が、前記ディスク・ドライブの前記トレイに対する移動方向と、前記カウンター部材及び前記湾曲部が前記ディスク・ドライブ及び前記制御部の相対的移動によって相対的に変位させられる際に前記トレイに対して前記ディスク・ドライブを行き来させるように移動させるために、該ディスク・ドライブ及び前記制御部の間の相対的移動と、に関して少なくとも部分的に傾斜させられており、
前記調整機構（８）が少なくとも２つの協働する湾曲部（１２，１３）及び前記カウンター部材（１７，１８）から成る組（１０，１１及び１５，１６）を含んで、前記トレイに対する前記ディスク・ドライブの移動方向で見られるように、前記少なくとも２つの湾曲部が、少なくとも反対端部（１９，２０）で開口し、そして、前記ディスク・ドライブの前記トレイに対する移動方向でオフセットされている前記カウンター部材と協働するように為し、１つのカウンター部材（１７，１８）が前記相対的移動の一部中にその協働する湾曲部（１２，１３）と作動的に係合し、そして、次のカウンター部材（１８，１７）が前記相対的移動の別の一部中にその協働する湾曲部（１３，１２）と作動的に係合することから成るローダ機構。
【請求項２】
前記湾曲部（１２，１３）が、前記ディスク・ドライブ（１乃至３）の前記トレイ（４）に対する移動方向と、前記制御部（９）及び前記ディスク・ドライブの移動の相対的方向との双方でオフセットされている、請求項１に記載のローダ機構。
【請求項３】
前記湾曲部（１２，１３）が、前記制御部（９）及び前記ディスク・ドライブ（１乃至３）の相対的移動の方向に見られるように、少なくとも反対端部（１９，２０）に末端部（２１，２２）を有し、前記末端部（２１，２２）が前記制御部及び前記ディスク・ドライブの相対的移動の方向と傾斜中間部とに平行して延在している、請求項２に記載のローダ機構。
【請求項４】
前記湾曲部（１２，１３）が前記制御部（９）内に形成され、前記カウンター部（１７，１８）が前記ディスク・ドライブ（１乃至３）のサブ-シャーシ（６）上に形成されている、請求項１乃至３の内の何れか一項に記載のローダ機構。
【請求項５】
前記制御部（９）が前記ディスク・ドライブ（１乃至３）に対して摺動自在である、請求項１乃至４の内の何れか一項に記載のローダ機構。
【請求項６】
前記湾曲部（１２，１３）がスロットとして構成され、前記カウンター部材（１７，１８）がそれらスロットとそれぞれ係合することができるピンとして構成されている、請求項１乃至５の内の何れか一項に記載のローダ機構。
【請求項７】
前記ディスク・ドライブ（１乃至３）の一方側において、少なくとも２つの協働する湾曲部（１２，１３）及びカウンター部材（１７，１８）から成る２つの組（１０，１１及び１５，１６）を備える、請求項１乃至６の内の何れか一項に記載のローダ機構。
【請求項８】
前記トレイ（４）が、引き出しタイプであり且つローディング位置及び駆動位置の間を変位自在である、請求項１乃至７の内の何れか一項に記載のローダ機構。
【請求項９】
前記ディスク・ドライブ（１乃至３）がサブ-シャーシ（６）上に取り付けられ、前記カウンター部材（１７，１８）がこのサブ-シャーシのブラケット（１４）上に形成されている、請求項１乃至８の内の何れか一項に記載のローダ機構。
【請求項１０】
請求項１乃至９の内の何れか一項に記載の前記ローダ機構を備えるディスク・ドライブ・ユニット。
【請求項１１】
請求項１０に記載の前記ディスク・ドライブ・ユニットを備える装置。
【発明の詳細な説明】
【技術分野】
【０００１】
本発明は、ディスク・ドライブ、ディスクを支持するトレイ、該ディスク・ドライブのトレイ上のディスクとの係合及び係合解除を為すべく該トレイに対して該ディスク・ドライブを行き来させるように移動させる調整機構、を備えるディスク・ドライブ・ユニット用ローダ機構に関する。
【背景技術】
【０００２】
市場で現在入手可能な殆どのトレイ-タイプのディスク・ローダ機構は、調整機構を備え、該調整機構がサブ-シャーシ或はフレーム上のピンを含んで、その上にディスク・ドライブが取り付けられ、そして、制御スライドが移動される際にディスク・ドライブ及びディスク・トレイの間の相対的移動を獲得するための、制御スライド上の湾曲部を更に含む。ディスク・ドライブの変位の必要とされるストロークは、その湾曲部の高さそしてその結果としての制御スライドの高さを決定する。
【０００３】
現行の市場動向に基づき、そうしたディスク・ドライブ・ユニットを有するスリマー光学式ディスク・プレイヤ／レコーダに対する需要が増大している。結果として、低減された高さを有するローダ機構に対する必要性がある。
【発明の開示】
【発明が解決しようとする課題】
【０００４】
本発明の目的は、ディスク・ドライブ・ユニット用のローダ機構を提供することであり、該ディスク・ドライブ・ユニットは、その高さにおいて、それらを伴って獲得されたディスク・ドライブの変位ストロークと比較して、有利である。
【課題を解決するための手段】
【０００５】
この目的は、本発明に従ったローダ機構によって達成され、該ローダ機構は、ディスク・ドライブ、ディスクを支持するトレイ、並びに、前記トレイ上のディスクに対する前記ディスク・ドライブの係合及び係合解除を為すべく、前記トレイに対して前記ディスク・ドライブを行き来させるように移動させる調整機構を備え、前記調整機構が湾曲部とそれら湾曲部と係合するカウンター部材とを含み、それら湾曲部及びカウンター部材がディスク・ドライブ上及び制御部上にそれぞれ設けられ、前記湾曲部が、前記ディスク・ドライブの前記トレイに対する移動方向と、前記カウンター部材及び前記湾曲部が前記ディスク・ドライブ及び前記制御部の相対的移動によって相対的に変位される際に前記トレイに対して前記ディスク・ドライブを移動するために、該ディスク・ドライブ及び前記制御部の間の相対的移動と、に関して少なくとも部分的に傾斜させられており、前記調整機構が少なくとも２つの協働する湾曲部及び前記カウンター部材から成る組を含んで、前記トレイに対する前記ディスク・ドライブの移動方向で見られるように、前記少なくとも２つの湾曲部が少なくとも反対端部で開口し、そして、前記ディスク・ドライブの前記トレイに対する移動方向でオフセットされている前記カウンター部材と協働するように為し、１つのカウンター部材が前記相対的移動の一部中にその協働する湾曲部と作動的に係合し、そして、次のカウンター部材が前記相対的移動の別の一部中にその協働する湾曲部と作動的に係合することから構成されている。
【０００６】
湾曲部が相対的移動の一部に対してのみ使用されていると云う事実によって、ディスク・ドライブの移動方向における湾曲部の寸法は低減され得る。第２湾曲部は第１湾曲部と部分重複し得るので、組み合わせ高さは達成されるべきディスク・ドライブのストロークと比較して低減され得る。
【０００７】
好ましくは、ローダ機構は請求項２の特徴を有し、これがローダ機構の簡素な構造に至る。他の実施例は請求項３乃至９に規定されている。
【０００８】
本発明は、ディスク・ドライブ・ユニットと、装置、特に先に記載されたローダ機構を備える光学的装置とをも含む。
【０００９】
本発明は、本発明に従ったディスク・ローダ機構の例示的実施例を図式的に示している図面を参照して以下より詳細に説明される。
【発明を実施するための最良の形態】
【００１０】
図面そしてその内の先ず図１乃至４は、ＣＤ或はＤＶＤプレイヤ／レコーダ等の、ディスク上に対するデータの読み取り及び／或は書き込みを為すための装置に使用され得るディスク・ドライブ・ユニットを示しており、ＣＤ或はＤＶＤプレイヤ／レコーダは、光学式、磁気的、或は、類似の読み取り及び／或は書き込み部材によって、ディスクに対してオーディオ、ビデオ、並びに／或は、データ情報の読み取り及び／或は書き込みを為すことができる。
【００１１】
ディスク・ドライブ・ユニットは、スピンドル２を有するモータ１を備えるディスク・ドライブを、ディスクに対してデータの読み取り／書き込みを為すピックアップ・ユニットを含む光学システム３と共に具備している。ディスクは、駆動されるために、モータ１のスピンドル２によって係合され得る締結領域を有する。
【００１２】
スピンドル２がディスクと係合状態にない際にディスクを支持するために、スピンドル２の通過と、光学システム３の光学信号の通過とを可能としている開口５を有するトレイ４が設けられている。この場合、トレイ４は引き出しタイプであり、即ち、ディスクのローディング及びアンローディングを可能としている装置ハウジング外側の開口位置と、スピンドル２と実質的に整合状態になっているハブを伴ってディスクが位置決めされている閉鎖位置との間をトレイ４が摺動自在である。
【００１３】
ディスクのハブとスピンドル２を係合させるために、スピンドル２及びトレイ４の間の相対的移動を、主にトレイ４とその上に支持されたディスクとの平面と直交する方向へ生じさせるローダ機構が提供されている。
【００１４】
スピンドル２に対してトレイ４を移動させることは可能であるが、ディスク・ドライブ、即ち、モータ１、スピンドル２、並びに、光学システム３をトレイ４に対して引き起こすことが好ましい。
【００１５】
ディスク・ドライブ１乃至３の移動を可能にするために、それはシャーシ６Ａ内のフレーム或はサブ-シャーシ６上に移動自在に配列される。例えば、ディスク・ドライブ１乃至３はトレイ４の平面と平行する軸線７周りに旋回自在である。この旋回軸７はサブ-シャーシ６の一方側に設けられ、該サブ-シャーシ６の他方側にはディスク・ドライブ１乃至３の係合／係合解除移動を生じさせる調整機構８が設けられている。勿論、調整機構８をサブ-シャーシ６の両側に設けることも可能である。その場合、ディスク・ドライブ・ユニット或はそのサブ-シャーシは、ディスク・ドライブ１乃至３のディスク・トレイ４に対する移動をガイドする手段が設けられなければならない。
【００１６】
図１乃至図４は調整機構８の種々の部分を示している。この調整機構８は、モータ駆動されるラック或は制御スライド９を備えて、該制御スライド９が、軸線７と略平行する方向そしてトレイ４に対するサブ-シャーシ６の移動方向と略直交する方向に摺動自在となるように為す。
【００１７】
図５は、本発明の原理を図示すべく、調整機構８の簡略化された実施例を示す。制御スライド９は湾曲部１２，１３から成る２組（組１０，１１）を含む。示された実施例において、湾曲部１２，１３は制御スライド９内に形成されたスロットとして構成されているが、例えばカム或はリブの形態での他の実施例も考えられる。ディスク・ドライブ１乃至３のサブ-シャーシ６はブラケット１４を含み、そのブラケットがピン１７，１８から成る２組（組１５，１６）を備え、各々が対応する組１０，１１の前記湾曲部１２，１３の内の１つと協働している。この実施例において、各ピン１７，１８は対応する湾曲部１２，１３内に係合している。
【００１８】
各組１０，１１において、ディスク・ドライブ１乃至３のトレイ４に対する移動の方向に見られるように、湾曲部１２は一方端部１９で開口しているが、他方湾曲部１３は反対端部で開口している。両湾曲部１２，１３は、平行する末端部２１，２２と傾斜中間部２３とを伴う類似の形状を有する。これら末端部はディスク・ドライブのトレイ４に対する移動方向に直交するように延在しているが、中間部２３はディスク・ドライブのトレイに対する移動方向と、制御スライド９の移動方向との双方に対して傾斜している。ピン１７，１８が末端部２１或は２２にあると、ディスク・ドライブ１乃至３はその係合／係合解除位置にロックされる一方で、ピン１７，１８が制御スライド９が移動させると共に湾曲部１２，１３の中間部２３を通って走る際にディスク・ドライブ１乃至３は調整される。
【００１９】
組１０，１１における湾曲部１２，１３は、制御スライド９の摺動方向とディスク・ドライブ１乃至３の移動方向の双方で相互にオフセットされる。このオフセットは同一方向においてピン１７，１８のオフセットと同等であるが、オフセットが摺動方向のみで同等であるように示された場合に異なることもあり得る。ディスク・ドライブの移動方向において、ピン１７，１８は湾曲部１２，１３よりも若干多くオフセットされる。その結果、各ピン１７，１８が制御スライドのストロークの一部中だけ作動する。もしピン１７，１８が動作不能であれば、それは開口端部１９或は２０を通じて湾曲部１２，１３を退くことが可能である。一般に、ピン１７，１８間の信頼性ある引き継ぎをもたらすために、各組１５，１６における両ピンが作動する部分重複部が存在する。
【００２０】
この調整機構８によって、制御スライド９の低減された高さを伴ったディスク・ドライブ１乃至３の特定ストロークを獲得することが可能である。次いで、ピン１７，１８の内の一方は、他方のピン１８，１７が制御を引き継ぐと、それら各湾曲部１２，１３を退き得る。
【００２１】
図５及び図６は本発明と先行技術との相違を示している。
【００２２】
たった１つの湾曲部と各組での１つのみのピンとが存在している図６に従った先行技術の解決策において、制御スライドの高さは湾曲部の高さ(ストロークＳ１にピンの厚みＤを加えたもの)に、湾曲部上下におけるスライド材を加えたものにより決定される：
Ｈ１＝Ｓ１＋Ｄ＋Ｔ１＋Ｔ２
【００２３】
本発明に従えば、図５に示されるように、合計ストロークＳ２は、末端部２１及び２２の間の距離Ｓ３に、ピン１７，１８間のオフセットＯＦＦ１を加えたもので決定される：
Ｓ２＝Ｓ３＋ＯＦＦ１
この場合、高さＨ２は：
Ｈ２＝Ｓ３＋Ｄ＋Ｔ１＋Ｔ２＝Ｓ２−ＯＦＦ１＋Ｄ＋Ｔ１＋Ｔ２
高さに関する相違は：
Ｈ１−Ｈ２＝Ｓ１−Ｓ２＋ＯＦＦ１
【００２４】
もしストロークＳ２がＳ１と同等であれば、高さに関する相違はオフセットＯＦＦ１と同等である。結果として節約された高さは、Ｓ３を最小化すると共にＯＦＦ１を最大化することで、ローダ機構内で有効である空間に基づき最適化され得る。
【００２５】
先行する記載から明らかなことは、本発明はローダ機構、ディスク・ドライブ・ユニット、並びに、低減された高さである調整機構によって、ディスク係合／係合解除の移動を引き起こす装置を提供することである。
【００２６】
留意されるべきことは、この明細書及び特許請求の範囲において、名詞及び代名詞等の表現の使用はそれが複数であることを排除していないが、「備える」或は「含む」等の表現は付加的な要素或は段階(ステップ)を全く排除しない。請求項中の参照符号等は本願発明を限定するものとして解釈されるべきではない。単一のプロセッサ或はユニットは請求項における幾つかの要素の機能を遂行し得る。
【００２７】
現行での好適実施例において、ディスクは光データ・ディスクである。しかしながら本発明は、強誘電性、磁性、光学磁気、近接場、アクティブ電荷記憶ディスク、或は、これら技術の組み合わせ若しくは他の読み取り／書き込み技術を用いた他のディスク等々の他のあらゆるディスクに対して使用され得ることが理解されるべきである。これらの場合、レンズは別の読み取り／書き込み部材によって置き換えられる。
【００２８】
本発明は、図中に示される上記の実施例に制限されず、特許請求の範囲から逸脱すること無しに幾つかの方法で変更され得る。例えば各組における湾曲部は、ディスク・ドライブの要求される移動やピン作動の引き継ぎに依存して、異なる形状を有し得る。制御部の末端と隣接する湾曲部はその末端に向かって開口し得て、協働するピンは、その組と係合している他のピン-湾曲部が制御を引き継ぐと直ぐにその末端で各湾曲部を退き得るように為す。この場合、湾曲部はその傾斜部で開口し、そして一方末端のみで「平行」部を有し得る。
【図面の簡単な説明】
【００２９】
【図１】図１は、本発明に従ったローダ機構の実施例を含むディスク・ドライブ・ユニットの斜視図である。
【図２】図２は、図１に従ったディスク・ドライブ・ユニットの平面図である。
【図３】図３は、図１及び図２のディスク・ドライブ・ユニットの切り抜き断面図である。
【図４】図４は、ディスク・ドライブが除去された状態の、図１のローダ機構の斜視図である。
【図５】図５は、湾曲部を有する制御部とそれらと協働するカウンター部材を有するディスク・ドライブとを概略的に示す。
【図６】図６は、先行技術の解決策を示した、図５と対応した図である。
【符号の説明】
【００３０】
１          モータ
２          スピンドル
３          光学的システム
１乃至３    ディスク・ドライブ
４          トレイ
５          開口
６          サブ-シャーシ（フレーム）
８          調整機構
９          制御スライド
１２，１３  湾曲部
１７，１８  ピン
【図１】
2007536694.tif 000003
【図２】
2007536694.tif 000004
【図３】
2007536694.tif 000005
【図４】
2007536694.tif 000006
【図５】
2007536694.tif 000007
【図６】
2007536694.tif 000008
【国際調査報告】
2007536694.tif 000009
2007536694.tif 000010
2007536694.tif 000011